(57)【要約】  本発明の実施形態は、一般的に、軽減チャンネルフォーマットでの多チャンネル信号の送信及び検出に関する。データを送信する方法の実施形態は、第１のタイプ又は第２のタイプのいずれのコンテンツデータが送信されることになるかを判断する段階を含み、第１のタイプのコンテンツデータは、基本周波数の第１の倍数で送信されることになり、第２のタイプのデータは、基本周波数の第２の倍数で送信されることになる。本方法は、更に、コンテンツデータタイプに基づいて複数のチャンネルから１つ又はそれよりも多くのチャンネルを選択する段階と、選択チャンネル内のコンテンツデータタイプに従って基本周波数の第１又は第２の倍数で周波数をクロッキングする段階と、コンテンツデータを単一の出力チャンネル内に収まるように修正する段階と、修正済みデータを単一の出力チャンネルを通じて基本周波数の選択された倍数で送信する段階とを含む。【選択図】図４
2013517696.tif 000002
【特許請求の範囲】
【請求項１】
データを送信する方法であって、
基本周波数の第１の倍数で送信されることになる第１のタイプのコンテンツデータ、又は該基本周波数の第２の倍数で送信されることになる第２のタイプのコンテンツデータのいずれが送信されることになるかを判断する段階と、
前記コンテンツデータのタイプに基づいて複数のチャンネルから１つ又はそれよりも多くのチャンネルを選択する段階と、
前記選択チャンネル内の前記コンテンツデータのタイプに従って前記基本周波数の前記第１又は第２の倍数で周波数をクロッキングする段階と、
前記コンテンツデータを単一の出力チャンネル内に収まるように修正する段階と、
前記修正済みデータを単一の出力チャンネルを通じて前記基本周波数の前記選択された倍数で送信する段階と、
を含むことを特徴とする方法。
【請求項２】
前記基本周波数の前記第１の倍数は、該基本周波数の３倍（３×）であり、
前記基本周波数の前記第２の倍数は、該基本周波数の２倍（２×）である、
ことを特徴とする請求項１に記載の方法。
【請求項３】
前記コンテンツデータは、高精細視聴覚データであることを特徴とする請求項１に記載の方法。
【請求項４】
前記コンテンツデータは、「高精細マルチメディアインタフェース（ＨＤＭＩ（登録商標））」プロトコルに適合することを特徴とする請求項３に記載の方法。
【請求項５】
前記コンテンツデータは、ビデオデータ期間、制御期間、及びデータアイランド期間を含むことを特徴とする請求項３に記載の方法。
【請求項６】
前記第２のタイプのビデオデータに対して、データ送信が、有意なデータを含まないチャンネルの削除を含む、
ことを特徴とする請求項５に記載の方法。
【請求項７】
前記第２のタイプの制御期間データに対して、前記データ送信は、前記チャンネルの１つにおける定数に固定されたデータを省略する段階を含み、他のチャンネルからのデータは、前記基本周波数の前記第２の倍数で前記単一の出力チャンネルを通じて送信される、
ことを特徴とする請求項５に記載の方法。
【請求項８】
前記第２のタイプのデータアイランドデータに対して、データ送信が、全てのチャンネルを選択して前記データを２つのチャンネル内に収まるように圧縮する段階を含み、該圧縮データは、前記基本周波数の前記第２の倍数で前記単一の出力チャンネルを通じて送信される、
ことを特徴とする請求項５に記載の方法。
【請求項９】
前記データアイランド期間は、前記チャンネルのうちの２つに対してエラー制御符号化を用い、前記圧縮する段階は、該２つのチャンネル内の該エラー符号化済みデータを復号する段階を含む、
ことを特徴とする請求項８に記載の方法。
【請求項１０】
前記エラー制御符号化は、「ＴＭＤＳエラー低減符号化−４（ＴＥＲＣ４）」である、
ことを特徴とする請求項９に記載の方法。
【請求項１１】
データを受信する方法であって、
単一のデータチャンネル上で着信データストリームを受信する段階と、
基本周波数の第１又は第２の倍数で受信される前記受信データストリームからコンテンツデータのタイプを検出する段階と、
前記チャンネル内の前記コンテンツデータのタイプに従って前記基本周波数の前記第１又は第２の倍数での周波数で前記コンテンツデータをクロッキングする段階と、
前記コンテンツデータを復号する段階と、
前記コンテンツデータのタイプに基づいて、該コンテンツデータを前記基本周波数での複数のチャンネルに変換する段階と、
を含むことを特徴とする方法。
【請求項１２】
前記基本周波数の前記第１の倍数は、該基本周波数の３倍（３×）であり、
前記基本周波数の前記第２の倍数は、該基本周波数の２倍（２×）である、
ことを特徴とする請求項１１に記載の方法。
【請求項１３】
前記コンテンツデータは、高精細視聴覚データであることを特徴とする請求項１１に記載の方法。
【請求項１４】
前記コンテンツデータは、「高精細マルチメディアインタフェース（ＨＤＭＩ（登録商標））」プロトコルに適合することを特徴とする請求項１３に記載の方法。
【請求項１５】
前記コンテンツデータは、ビデオデータ期間、制御期間、及びデータアイランド期間を含むことを特徴とする請求項１３に記載の方法。
【請求項１６】
前記第２のタイプのビデオデータに対して、前記コンテンツデータを複数のチャンネルに変換する段階は、非有意データを含むチャンネルを挿入する段階を含む、
ことを特徴とする請求項１５に記載の方法。
【請求項１７】
前記第２のタイプの制御期間データに対して、前記コンテンツデータを複数のチャンネルに変換する段階は、定数に固定されたチャンネルを挿入する段階を含む、
ことを更に含むことを特徴とする請求項１５に記載の方法。
【請求項１８】
前記第２のタイプのデータアイランドデータに対して、前記コンテンツデータを複数のチャンネルに変換する段階は、該データの少なくとも一部分を複数のチャンネル内に収まるように解凍する段階を含む、
ことを更に含むことを特徴とする請求項１５に記載の方法。
【請求項１９】
前記コンテンツデータのタイプは、該コンテンツデータのプリアンブルを通じて検出され、
前記プリアンブルは、制御期間に受信され、該プリアンブルは、前記コンテンツデータのタイプの次のデータ期間を通知する、
ことを特徴とする請求項１１に記載の方法。
【請求項２０】
信号を受信機に送信するための送信機と、
前記送信機を前記受信機と結合するためのインタフェースと、
前記インタフェース上でデータを送信する論理であって、
コンテンツデータのタイプを判断する第１の論理であって、該データが、該第１の論理によって識別される該コンテンツデータのタイプに依存して基本周波数の第１又は第２の倍数で送信されることになる前記第１の論理、
前記コンテンツデータに対する複数のチャンネルから１つ又はそれよりも多くのチャンネルを選択する第２の論理、及び
前記データを単一の出力チャンネル内に収まるように修正する第３の論理、
を含む前記論理と、
を含み、
前記送信機は、前記修正済みデータを前記単一の出力チャンネル上で前記基本周波数の前記選択された倍数で送信する、
ことを特徴とする送信デバイス。
【請求項２１】
前記インタフェースは、制御バス及び電力バスを含むケーブルであることを特徴とする請求項２０に記載の送信デバイス。
【請求項２２】
前記基本周波数の前記第１の倍数は、該基本周波数の３倍（３×）であり、
前記基本周波数の前記第２の倍数は、該基本周波数の２倍（２×）である、
ことを特徴とする請求項２０に記載の送信デバイス。
【請求項２３】
前記コンテンツデータは、高精細視聴覚データであることを特徴とする請求項２０に記載の送信デバイス。
【請求項２４】
前記コンテンツデータは、「高精細マルチメディアインタフェース（ＨＤＭＩ（登録商標））」プロトコルに適合することを特徴とする請求項２０に記載の送信デバイス。
【請求項２５】
送信デバイスから信号を受信する受信機と、
単一の受信チャンネル上で前記受信機を前記送信機と結合させるインタフェースと、
受信中の前記コンテンツデータを前記インタフェース上に転送する論理であって、
前記受信チャンネル上で受信されるコンテンツデータのタイプを検出する第１の論理であって、該データが、基本周波数の第１の倍数又は該基本周波数の第２の倍数のいずれかの周波数で送信される前記第１の論理、
前記コンテンツデータのタイプに基づいて適切な周波数で受信周波数をクロッキングする第２の論理、及び
前記コンテンツデータのタイプに依存して前記単一の受信チャンネルからの該コンテンツデータを複数のチャンネルに変換する第３の論理、
を含む前記論理と、
を含むことを特徴とする受信デバイス。
【請求項２６】
前記インタフェースは、制御バス及び電力バスを含むケーブルであることを特徴とする請求項２５に記載の受信デバイス。
【請求項２７】
前記基本周波数の前記第１の倍数は、該基本周波数の３倍（３×）であり、
前記基本周波数の前記第２の倍数は、該基本周波数の２倍（２×）である、
ことを特徴とする請求項２５に記載の受信デバイス。
【請求項２８】
前記コンテンツデータは、高精細視聴覚データであることを特徴とする請求項２５に記載の受信デバイス。
【請求項２９】
前記コンテンツデータは、「高精細マルチメディアインタフェース（ＨＤＭＩ（登録商標））」プロトコルに適合することを特徴とする請求項２８に記載の受信デバイス。
【発明の詳細な説明】
【技術分野】
【０００１】
本発明の実施形態は、一般的にデータ通信の分野に関し、より具体的には、軽減チャンネルフォーマットでの多チャンネル信号の送信及び検出に関する。
【０００２】
〔関連出願〕
この米国特許出願は、２０１０年１月１４日出願の「軽減チャンネルフォーマットでの多チャンネル信号の送信及び検出（Ｔｒａｎｓｍｉｓｓｉｏｎ  ａｎｄ  Ｄｅｔｅｃｔｉｏｎ  ｏｆ  Ｍｕｌｔｉ−ｃｈａｎｎｅｌ  Ｓｉｇｎａｌｓ  ｉｎ  Ｒｅｄｕｃｅｄ  Ｃｈａｎｎｅｌ  Ｆｏｒｍａｔ）」という名称の対応する米国特許仮出願番号第６１／２９５，１４８号に対する優先権を請求し、かつこれを引用によって組み込んでいる。
【背景技術】
【０００３】
マルチメディアデータに対するデータ送信は、異なる数のチャンネルを利用して様々なフォーマットで行うことができる。作動時に、そのようなデータは、フォーマット間で変換される場合があり、すなわち、データ、データチャンネル、及び送信率の修正が必要である可能性がある。
【０００４】
ＭＨＬ（登録商標）（モバイル高精細リンク）技術は、一般的に、着信する３チャンネルＴＭＤＳ（遷移時間最短差動信号伝達）信号を１つだけのＴＭＤＳチャンネルを用いて送信する。しかし、ＭＨＬは、一般ＨＤＭＩ（登録商標）（高精細マルチメディアインタフェース）データ送信に対する周波数よりも３倍高い送信クロック周波数を利用する。
【０００５】
しかし、ＭＨＬ送信は、ある一定の実施において問題を生じる場合がある高い送信周波数を必要とする。例えば、高精細１０８０ｐ  ＹＣｂＣｒモード（１０８０ｐは、１０８０本の水平走査線を表し、ＹＣｂＣｒは、Ｙ輝度成分とＣｂ青色差成分とＣｒ赤色差成分とを表す）のようなある一定のビデオ分解能では、データ送信周波数は、送信リンクに対して過度に高い場合がある。
【発明の概要】
【０００６】
本発明の実施形態は、一般的に、軽減チャンネルフォーマットでの多チャンネル信号の送信及び検出に向けられる。
【０００７】
本発明の第１の態様では、データを送信する方法は、基本周波数の第１の倍数で送信されることになる第１のタイプ、又は基本周波数の第２の倍数で送信されることになる第２のタイプのいずれのコンテンツデータが送信されることになるかを判断する段階を含む。本方法は、更に、コンテンツデータタイプに基づいて複数のチャンネルの組から１つ又はそれよりも多くのチャンネルを選択する段階と、選択チャンネル内のコンテンツデータタイプに従って基本周波数の第１又は第２の倍数で周波数をクロッキングする段階と、コンテンツデータを単一の出力チャンネル内に収まるように修正する段階と、修正済みデータを単一の出力チャンネルを通じて基本周波数の選択された倍数で送信する段階とを含む。
【０００８】
本発明の実施形態は、類似の参照番号が類似の要素を指す添付図面の図内に限定ではなく一例として示している。
【図面の簡単な説明】
【０００９】
【図１】送信機、受信機、及びインタフェースを含むシステムの実施形態の図である。
【図２】送信デバイスの実施形態の図である。
【図３】受信デバイスの実施形態の図である。
【図４】送信処理の実施形態を示す流れ図である。
【図５】受信処理の実施形態を示す流れ図である。
【図６】送信されるデータに対するコンテンツのタイプを検出して取り扱うための処理の実施形態を示す流れ図である。
【図７】受信データに対するコンテンツのタイプを検出して取り扱うための処理の実施形態を示す流れ図である。
【図８】多チャンネルデータ送信の実施形態の図である。
【図９】ビデオデータ多重化の実施形態の図である。
【図１０】制御期間データ多重化の実施形態の図である。
【図１１】データアイランド多重化の実施形態の図である。
【図１２】受信ビデオデータを逆多重化のための処理の実施形態の図である。
【図１３】受信制御データを逆多重化するための処理の実施形態の図である。
【図１４】受信データアイランドを逆多重化するための処理の実施形態の図である。
【図１５】多チャンネルデータ送信を処理するための受信機の実施形態の図である。
【図１６】多チャンネルデータ送信を処理するための受信機の実施形態の図である。
【図１７】多チャンネルデータの送信及び受信のためのシステムの実施形態の図である。
【発明を実施するための形態】
【００１０】
本発明の実施形態は、一般的に、軽減チャンネルフォーマットでの多チャンネル信号の送信及び検出に関する。
【００１１】
一部の実施形態では、低減クロック周波数での多チャンネルデータ送信をサポートする方法、装置、及びシステムを提供する。一部の実施形態では、より高い（例えば、３倍）クロック周波数を使用する代わりに、より低い（例えば、２倍）クロック周波数でのある一定の分解能での多チャンネルデータ送信をサポートする方法、装置、及びシステムを提供する。
【００１２】
一部の実施形態では、ＭＨＬシステムのようなマルチメディアシステムにおける方法、装置、及びシステムを提供する。しかし、実施形態は、このデータ送信フォーマットに限定されない。本解説では、３×クロックのような高いクロックにおける送信を「３対１レーン多重化」と呼び、２×クロックのような低いクロックにおける送信を「２対１レーン多重化」と呼ぶ。一部の実施形態では、方法、装置、又はシステムは、３対１レーン多重化対２対１レーン多重化モードの自動検出に備えるものである。
【００１３】
ある一定のデータ分解能では、ＨＤＭＩにおける３つのＴＭＤＳチャンネルのうちの２つだけが、ビデオデータ期間中に有意又は重要なデータを含むことになる。一部の実施形態では、１つのチャンネルが有意又は重要なデータを含まないということは、ＭＨＬ送信に対して一般的に利用される３倍高い周波数の代わりに２倍のクロック周波数でデータを送信するのに利用することができる。例えば、ビデオデータ多重化の実施形態では、ビデオデータを１０８０ｐ  ＹＣｂＣｒモードで送信することができる。一部の実施形態では、受信ビデオデータを処理するのにチャンネルを満たすための処理が設けられ、このチャンネルには有意ではないデータ（２対１多重化を可能にするために送信から省略されたデータ等）が供給される。
【００１４】
ＨＤＭＩ信号は、ビデオデータ期間だけではなく、制御期間及びデータアイランド期間も含む。一部の実施形態では、データチャンネルを低減するためのデータの省略又は複数のデータチャンネルを単一のチャンネル内に収めるためのデータ圧縮によってそのような期間に対してデータを修正することができる。一部の実施形態では、方法、装置、又はシステムは、より低い周波数での送信を可能にするために、データの特性を利用することができる。
【００１５】
一部の実施形態では、ＨＤＭＩ仕様において１つのチャンネル（Ｃｈ−１）を通じて送信される制御データパターンが定数に固定されるので、このチャンネル内のデータを省略することができる。一部の実施形態では、上述の場合、他の２つのチャンネル内のデータを１つのＴＭＤＳチャンネルを通じて２倍のクロック周波数で送信することができる。一部の実施形態では、受信制御データを処理するためにチャンネルを満たすための処理が設けられ、この場合、定数に固定されたデータ（２対１多重化を可能にするために送信において省略されたもの）がチャンネル内に再挿入される。
【００１６】
ＨＤＭＩデータ送信に対してオーディオサンプルデータ及び他の重要なデータパケットを送出するデータアイランド期間では、３つ全てのＨＤＭＩチャンネルが有意なデータを含む。一部の実施形態では、データアイランド期間に３つのＴＭＤＳチャンネル内で供給されるデータ文字を２つのＴＭＤＳ文字内に収まるように分解して圧縮することができ、次に、これらを１つのＴＭＤＳチャンネル内で２倍のクロック周波数で送信することができる。一部の実施形態では、データは、受信機側における元のデータの回復を可能にする方式で分解される。
【００１７】
図１は、送信デバイス、受信デバイス、及びインタフェースを含むシステムの実施形態を示している。一部の実施形態では、システムは、送信デバイスであるソース１０５（移動デバイス等）からのインタフェース１１５（ＭＨＬインタフェース等）及びブリッジ１１０を通じた送信と、受信デバイスであるシンク１２０（テレビジョン又は他のビデオ表示デバイス等）でのデータの受信とを可能にする。
【００１８】
一部の実施形態では、ソース１０５は、送信におけるデータチャンネルの変換によって低減クロック周波数におけるデータ送信を可能にする。一部の実施形態では、シンク１２０は、そのようなデータを受信し、このデータをデータ変換の前の元のフォーマットに再形成することを可能にする。
【００１９】
図２は、異なる多重化モードにおけるデータ送信を処理するためのロジック回路を含む送信デバイスの実施形態を示している。一部の実施形態では、ＭＨＬデータ送信に対してＨＤＭＩを処理して変換するためのデバイスを含むことができる送信デバイス２００は、複数の着信チャンネル２３０を受信して単一の発信チャンネル２３５を生成することができる。
【００２０】
一部の実施形態では、送信デバイス２００は、着信データの搬送及び受信のためのブリッジ２０５及び受信機２１０を含む。一部の実施形態では、更に、送信デバイスは、データの処理及び変換のためのロジック回路２１５と、送信に向けてデータを保持するためのメモリ２２０と、低いクロックレートでデータを送信するための送信機２２５とを含む。
【００２１】
一部の実施形態では、ロジック回路２１５は、以下のことを可能にする。
【００２２】
１．コンテンツデータのタイプを判断する。ＨＤＭＩデータでは、データのタイプは、ビデオデータ、制御データ、及びデータアイランドデータを含むことができる。
【００２３】
２．複数の基本周波数において送信されるチャンネルを選択する。この場合チャンネル及びクロック周波数は、コンテンツデータのタイプに基づいて選択される。
【００２４】
３．単一の出力チャンネル内に収まるようにデータを修正する。
【００２５】
４．送信機２２５を用いた送信に向けて修正データを供給する。
【００２６】
図３は、異なる多重化モードにおけるデータの受信を処理するためのロジック回路を含む受信デバイスの実施形態を示している。一部の実施形態では、ＭＨＬデータを処理してＨＤＭＩデータに変換するためのデバイスを含むことができる受信デバイス３００は、単一の入力チャンネル３３０を受信して複数の発信チャンネル３３５を生成することができる。
【００２７】
一部の実施形態では、受信デバイス３００は、着信データの搬送及び受信のためのブリッジ３０５及び受信機３１０を含む。一部の実施形態では、受信デバイス３００は、データの処理及び変換のためのロジック回路３１５、送信に向けてデータを保持するためのメモリ３２０、及び複数のデータチャンネル３３５を送信するための送信機３２５を含む。
【００２８】
一部の実施形態では、ロジック回路３１５は、以下のことを可能にする。
【００２９】
１．コンテンツデータのタイプを検出する。
【００３０】
２．受信データに対する周波数クロッキングを判断する。
【００３１】
３．コンテンツデータを復号する。
【００３２】
４．送信に向けてコンテンツデータを複数のチャンネルに変換する。
【００３３】
一部の実施形態では、方法、装置、又はシステムは、３対１又は２対のいずれのレーン多重化が実施されているかのようなデータの多重化を検出することを可能にする。一部の実施形態では、送信データは、多重化を識別するための要素を含む。ＨＤＭＩでは、次のデータ期間がビデオ期間又はデータアイランド期間のいずれであるかの通知を供給するために、プリアンブルと呼ぶ特殊データシーケンスが制御期間内に転送され、ＨＤＭＩ規格ではプリアンブルの４つの可能な組合せのうちの３つが使用される。一部の実施形態では、３対１多重化の代わりに２対１レーン多重化がいつ使用されるかの通知を供給するのに残りのパターンが使用される。しかし、実施形態は、この符号化に限定されない。
【００３４】
図４は、送信処理の実施形態を示す流れ図である。一部の実施形態では、コンテンツデータのタイプが検出される４０２。一部の実施形態では、第１のタイプのコンテンツデータを検出することができ４０４、この場合、データは、より低い周波数での送信に適さないデータとすることができ、コンテンツデータは、基本周波数の３倍の周波数のような基本周波数の標準倍数で送信することができる４０６。
【００３５】
一部の実施形態では、第２のタイプのコンテンツデータを検出することができ４１０、この場合、このタイプのコンテンツデータは、より低い周波数での送信に適するデータとすることができる。この実施形態では、コンテンツデータは、ビデオデータ期間４１２、制御期間４１４、又はデータアイランド期間４１６からのデータとすることができる。一部の実施形態では、処理は、コンテンツデータのタイプに基づいて複数のチャンネルから１つ又はそれよりも多くのチャンネルを選択する段階を含むことができる４１８。更に、処理は、基本周波数の第２の倍数（２×等）でコンテンツデータをクロッキングする段階を含むことができる４２０。一部の実施形態では、送信されるある一定のデータは、単一の出力チャンネル内に収まるように修正され４２２、修正済みデータは、単一の出力チャンネルを通じて低減クロック周波数で送信される４２４。
【００３６】
図５は、受信処理の実施形態を示す流れ図である。一部の実施形態では、処理は、受信されるコンテンツデータのタイプを検出する段階５０２を含み、一部の実施形態では、この段階は、受信データのプリアンブル内に供給されるコードを用いて自動的に達成するか又は外部制御信号を用いて手動で達成することができる。一部の実施形態では、より低い周波数で送信するための修正に適さないデータとすることができる第１のタイプのコンテンツデータ５０４は、３対１逆多重化のような標準的な逆多重化を利用して処理される５０６。一部の実施形態では、より低い周波数での送信に向けて修正されたデータとすることができる第２のタイプのコンテンツデータ５１０は、２対１多重化のような低い多重化を用いて処理される。一部の実施形態では、コンテンツデータは、ビデオデータ期間５１２、制御期間５１４、又はデータアイランド期間５１６からのデータとすることができる。一部の実施形態では、処理は、単一のデータチャンネルからデータを復号する段階５１８、基本周波数の第２の倍数（２×等）でコンテンツデータをクロッキングする段階５２０、及びデータをコンテンツのタイプに基づいて複数のチャンネルに変換する段階５２２を含み、この場合、そのような変換は、送信において省略されたチャンネルを満たす段階、又は単一のチャンネルに組み合わされていた複数のチャンネルからデータを複写して分離する段階を含むことができる。
【００３７】
図６は、送信されるデータに対するコンテンツのタイプを検出して取り扱うための処理の実施形態を示す流れ図である。一部の実施形態では、図４の要素４１０に提供しているような第２のタイプのコンテンツデータを検出することができる６０２。一部の実施形態では、データは、ＨＤＭＩデータとすることができ、データは、ビデオ期間データ６０４、制御期間データ６１４、又はデータアイランド期間データ６２４とすることができる。
【００３８】
一部の実施形態では、コンテンツデータがビデオ期間データ６０４である場合には、いずれの有意又は重要なデータも含まないそのようなデータのチャンネルが省略される６０６。例えば、データは、輝度（Ｙ）成分と、色差（Ｃ（彩度）−Ｃｂ（青色差）及びＣｒ（赤色差））成分とを利用するＹＣｂＣｒモードにあるビデオデータとすることができる。一部の実施形態では、あるチャンネルは、Ｙ／Ｃ成分の下位ビットを含み、そのようなチャンネルは、有意又は重要なデータを含まないものとして割愛することができる。一部の実施形態では、処理は、データを２×基本周波数でクロッキングする段階に続く６０８。一部の実施形態では、データは、単一の出力チャンネル内に収まるように修正され６１０、修正済みデータは、単一の出力チャンネルを通じて送信される６１２。
【００３９】
一部の実施形態では、コンテンツデータは、制御期間データ６１４である。一部の実施形態では、ＨＤＭＩデータに対するチャンネル１のようなチャンネル内で定数に固定されたデータの一部分が省略され６１６、それによって送信に対してチャンネルのうちの１つが削除される。一部の実施形態では、処理は、データを２×基本周波数でクロッキングする段階６１８、データを単一の出力チャンネル内に収まるように修正する段階６２０、更に修正済みデータを単一の出力チャンネルを通じて送信する段階６２２に続く。
【００４０】
一部の実施形態では、コンテンツデータは、データアイランド期間データである６２４。一部の実施形態では、全てのチャンネルが選択され、１つのチャンネル内に収まるように圧縮される６２６。一部の実施形態では、これらのチャンネルは、あるチャンネルに組み合わせるために２つのＨＤＭＩデータチャンネル、すなわち、チャンネル１及びチャンネル２を取得することによって圧縮される。一部の実施形態では、処理は、データを２×基本周波数でクロッキングする段階６２８、チャンネルデータ（チャンネル１及びチャンネル２）を復号してデータサイズを単一のチャンネル内に収まるように縮小する段階、更に修正済みデータを単一の出力チャンネルを通じて送信する段階６３２に続く。
【００４１】
図７は、受信データに対するコンテンツのタイプを検出して取り扱うための処理の実施形態を示す流れ図である。一部の実施形態では、図５の要素５１０に提供しているような第２のタイプのコンテンツデータを検出することができる７０２。一部の実施形態では、データはＨＤＭＩデータとすることができ、コンテンツデータは、ビデオ期間データ７０４、制御期間データ７１６、又はデータアイランド期間データ７２８とすることができる。
【００４２】
一部の実施形態では、コンテンツデータは、ビデオ期間データ７０４とすることができる。単一のチャンネルからコンテンツを復号する段階７０６、及びデータを２×基本チャンネル周波数でクロッキングする段階７０８に続いて、コンテンツは、複数のチャンネルに変換される７１０。一部の実施形態では、有意又は重要ではないデータを含むチャンネルが挿入されて第３のチャンネルが生成される７１２。例えば、データは、Ｙ／Ｃ成分を利用するビデオデータとすることができ、チャンネルは、Ｙ／Ｃ成分の下位ビットを置換するように挿入することができる。次に、コンテンツデータは、ＨＤＭＩチャンネルのような複数のチャンネル上で送信される７１４。
【００４３】
一部の実施形態では、コンテンツデータは制御期間データ７１６とすることができる。単一のチャンネルからコンテンツを復号する段階、及びデータを２×基本チャンネル周波数でクロッキングする段階７２０に続いて、コンテンツは、複数のチャンネルに変換される７２２。一部の実施形態では、定数に固定されたチャンネルが挿入されて第３のチャンネルが生成される７２４。例えば、データは、定数に固定されたＨＤＭＩ制御チャンネルを置換するように挿入することができる。次に、コンテンツデータは、複数のチャンネル上で送信される７２６。
【００４４】
一部の実施形態では、コンテンツデータは、データアイランド期間データ７２８とすることができる。単一のチャンネルからコンテンツを復号する段階７３０、及びデータを２×基本チャンネル周波数でクロッキングする段階７３２に続いて、コンテンツは、データの少なくとも一部分を複数のチャンネル内に収まるように解凍することによって複数のチャンネルに変換される。一部の実施形態では、有意ではないデータを含むチャンネルが挿入されて第３のチャンネルが生成される。次に、コンテンツデータは、複数のチャンネル上で送信することができる７３６。
【００４５】
図８は、多チャンネルデータ送信の実施形態を示している。この実施形態では、ＨＤＭＩデータストリームは、ＭＨＬデータストリームに変換される。例示するように、ＴＭＤＳ符号化の前のＨＤＭＩデータ８０５が、１×から３×へのＦＩＦＯ（先入れ先出し）メモリバッファ８１０に書き込まれ、この場合、データは、基本（１×）周波数でバッファに書き込まれる。次に、複数のチャンネルを単一のチャンネル内に順次配置することを可能にするために、データを基本周波数の倍数（３×）で読み取って、２４ビットから８ビットへのセレクタ８１５のようなセレクタに供給することができる。データは、そのようなデータを１０ビットベクトルの形態にあるＭＨＬデータストリーム８２５に変換するＴＭＤＳ符号化を受け、そのような送信は、３×クロック周波数で行われる。
【００４６】
一部の実施形態では、図８に例示する多チャンネルデータ送信は、低減クロック周波数での送信を可能にするように修正される。ある一定のデータ分解能では、ビデオデータ期間中にＨＤＭＩにおける３つのＴＭＤＳチャンネルのうちの２つしか有意なデータを含まないことになる。一部の実施形態では、１つのチャンネルが有意なデータを含まないということは、データをＭＨＬ送信に対して一般的に利用される３倍高い周波数の代わりに２倍のクロック周波数で送信するのに利用される。
【００４７】
図９は、ビデオデータ多重化の実施形態を示している。図９は、特に、１０８０ｐ  ＹＣｂＣｒモードにおけるビデオデータ多重化を示している。一部の実施形態では、ＴＭＤＳ符号化の前のＨＤＭＩデータ９０５は、１×から２×へのＦＩＦＯバッファ９１０に書き込まれる。一部の実施形態では、複数のチャンネルを単一のチャンネル内に順次配置するために、ビデオデータは、基本（１×）周波数でバッファに書き込まれ、２４ビットから８ビットへのセレクタ９１５のようなセレクタに供給される。一部の実施形態では、データは、より低い周波数での送信を可能にするように変換される。この実施形態では、チャンネル０（Ｃｈ−０）は、Ｙ／Ｃ成分の下位ビットを含み、従って、有意又は重要なデータを含まないと捉えることができる。得られるデータは、そのようなデータを１０ビットベクトルの形態にあるＭＨＬデータストリーム９２５に変換するＴＭＤＳ符号化９２０を受け、そのような送信は、Ｃｈ−２及びＣｈ−１の送信を可能にする２×クロック周波数において送信が行われる。
【００４８】
図１０は、制御期間データ多重化の実施形態を示している。一部の実施形態では、ＴＭＤＳ符号化の前のＨＤＭＩデータ１００５は、１×から２×へのＦＩＦＯバッファ１０１０に書き込まれる。一部の実施形態では、複数のチャンネルを単一のチャンネル内に順次配置するために、制御データは、基本（１×）周波数でバッファに書き込まれ、２４ビットから８ビットへのセレクタ１０１５のようなセレクタに供給される。一部の実施形態では、データは、より低い周波数での送信を可能にするように変換される。この実施形態では、チャンネル１（Ｃｈ−１）は、固定データパターンを含み、従って、削除し、受信デバイスによって再現することができる。得られるデータは、そのようなデータを１０ビットベクトルの形態にあるＭＨＬデータストリーム１０２５に変換するＴＭＤＳ符号化１０２０を受け、そのような送信は、Ｃｈ−２及びＣｈ−０の送信を可能にする２×クロック周波数において送信が行われる。
【００４９】
図１１は、データアイランド多重化の実施形態を示している。特に、図１１は、ＨＤＭＩのＣｈ−１及びＣｈ−２における送信サイズを縮小し、そのようなチャンネルを送信に向けて組み合わせることを可能にするＴＥＲＣ４（ＴＭＤＳエラー低減符号化）復号を利用することができる場合を示している。一部の実施形態では、ＴＭＤＳ符号化の前のＨＤＭＩデータ１１０５は、１×から２×へのＦＩＦＯバッファ１０１０に書き込まれる。一部の実施形態では、複数のチャンネルを単一のチャンネル内に順次配置するために、制御データは基本（１×）周波数でバッファに書き込まれて、２４ビットから８ビットへのセレクタ１１１５のようなセレクタに供給される。
【００５０】
一部の実施形態では、２つのチャンネル（Ｃｈ−１及びＣｈ−２）内のデータは、より低い周波数での送信を可能にするように変換される。一部の実施形態では、データ圧縮を可能にするために、そのようなチャンネルからデータ符号化が解除される。ＴＥＲＣ４復号のような復号が、２つのＴＭＤＳチャンネルに対して適用される。ＨＤＭＩでは、高ノイズ環境内での追加のエラー許容範囲に関して送信の前にデータアイランドパケットが４ビットセグメントに分割され、ＴＥＲＣ４を用いて符号化される。一部の実施形態では、物理リンクが、良好なＢＥＲ（ビット誤り率）をもたらすのに十分に安定している場合には、システムは、ＭＨＬシステムにおいてＴＥＲＣ４符号化を支障なく削除又は割愛することができ、従って、送信に向けてよりコンパクトなデータが供給される。
【００５１】
一部の実施形態では、チャンネル毎に４ビットを含むＣｈ−１及びＣｈ−２からの復号データは、融合されて単一の８ビットチャンネルを形成する。得られるデータは、そのようなデータを１０ビットベクトルの形態にあるＭＨＬデータストリーム１１２５に変換するＴＭＤＳ符号化１１２０を受け、そのような送信は、組み合わされたＣｈ−２／Ｃｈ−１及びＣｈ−１の送信を可能にする２×クロック周波数において送信が行われる。
【００５２】
図１２は、受信ビデオデータを逆多重化するための処理の実施形態を示している。特に、図１２は、有意又は重要ではないデータ（２対１多重化を可能にするために送信から省略されたもの）がチャンネルに対して与えられる受信ビデオデータに対するチャンネルを満たすための処理の実施形態を示している。
【００５３】
一部の実施形態では、ＭＨＬデータの２つのチャンネル（Ｃｈ−２及びＣｈ−１）を含むＭＨＬストリーム１２０５が受信される。データは、１０ビットフォーマットから８ビットフォーマットに復号され１２１０、８ビットから２４ビットに再編成される１２１５。一部の実施形態では、受信データから欠如している、有意又は重要ではないデータを含んでいたチャンネル（Ｃｈ−０）は、最終ピクセルデータがゼロになるように値で満たされる。
【００５４】
再編成済みデータは、２×から１×へのＦＩＦＯバッファ１２２０に供給され、この場合、データは、基本周波数の２倍のクロック周波数で書き込まれ、基本周波数におけるクロック周波数で読み取られる。次に、データは、符号化をバイパスすることができ１２２５（データがＴＥＲＣ４符号化されていることから）、２４ビットＨＤＭＩデータストリーム１２３０の送信がもたらされる。
【００５５】
図１３は、受信制御データを逆多重化するための処理の実施形態を示している。特に、図１３は、定数に固定されたデータ（２対１多重化を可能にするために送信から省略されたもの）がチャンネル内に再挿入されて受信制御データに対するチャンネルを満たすための処理の実施形態を示している。
【００５６】
一部の実施形態では、ＭＨＬデータの２つのチャンネル（Ｃｈ−２及びＣｈ−０）を含むＭＨＬストリーム１３０５が受信される。データは、１０ビットフォーマットから８ビットフォーマットに復号され１３１０、８ビットから２４ビットに再編成される１３１５。一部の実施形態では、受信データから欠如している固定値を含んでいたデータを含むチャンネル（Ｃｈ−１）は、この固定値を置換する値で満たされる（すなわち、ＣＴＬ１、ＣＴＬ０の値が「０１」になるように）。
【００５７】
再編成済みデータは、２×から１×へのＦＩＦＯバッファ１３２０に供給され、この場合、データは、基本周波数の２倍のクロック周波数で書き込まれ、基本周波数でのクロック周波数で読み取られる。次に、データは、符号化をバイパスすることができ１３２５（データがＴＥＲＣ４符号化されていることから）、２４ビットＨＤＭＩデータストリーム１３３０の送信がもたらされる。
【００５８】
図１４は、受信データアイランドを逆多重化するための処理の実施形態を示している。特に、図１４は、チャンネルデータ（２対１多重化を可能にするために送信に対して組み合わされたもの）を複製して分離し、データアイランドを再生するための処理の実施形態を示している。この実施形態では、チャンネルを組み合わせるためにＴＥＲＣ４復号されたデータは、データをその元の形態に戻すためにＴＥＲＣ４符号化される。
【００５９】
一部の実施形態では、ＭＨＬデータの２つのチャンネル（組み合わされたＣｈ−２／Ｃｈ−１及びＣｈ−０）を含むＭＨＬストリーム１４０５が受信される。データは、１０ビットフォーマットから８ビットフォーマットに復号され１４１０、８ビットから２４ビットに再編成される１４１５。一部の実施形態では、組合せチャンネルＣｈ−２／Ｃｈ−１が複製されて２つの別々のチャンネルが生成される。
【００６０】
再編成済みデータは、２×から１×へのＦＩＦＯバッファ１４２０に供給され、この場合、データは、基本周波数の２倍のクロック周波数で書き込まれ、基本周波数でのクロック周波数で読み取られる。第１の組合せチャンネル部分（Ｃｈ−２に対応する）及び第２の組合せチャンネル部分（Ｃｈ−１に対応する）がＴＥＲＣ４符号化されて（それぞれ１４３５及び１４４０）、符号化されたＣｈ−２チャンネル及びＣｈ−１チャンネルが生成され、Ｃｈ−０のデータは、符号化をバイパスし１４２５、２４ビットＨＤＭＩデータストリーム１４３０の送信がもたらされる。
【００６１】
図１５は、多チャンネルデータ送信を処理するための受信機の実施形態を示している。図１５は、例えば、低減送信クロック周波数における１０８０ｐ  ＹＣｂＣｒモードのような送信をサポートするＭＨＬ送信機の実施形態のブロック図を提供している。
【００６２】
例示するように、ＭＨＬ送信機１５００は、ｒｓｔ＿ｎ＿１×と、クロック信号１×、Ｎ×と、ｄｅと、制御信号ｃｔｌ［３：０］と、垂直同期信号ｖｓｙｎｃと、水平同期信号ｈｓｙｎｃと、データチャンネル（この図ではＲＧＢ指定チャンネルｒ＿８ｂ［７：０］、ｇ＿８ｂ［７：０］、及びｂ＿８ｂ［７：０］として例示する）と、高精細フォーマット信号ｍｌ０８０ｐとを含む信号を受信する。
【００６３】
一部の実施形態では、ＭＨＬ送信機１５００は、基本周波数でデータを書き込むための第１の１×クロック領域１５３０と、通常のＭＨＬ送信における３×、及びデータを少ないチャンネル内での送信のための形態に変換することができる場合の低減クロック速度での送信における２×のような基本周波数の適切な倍数でデータを読み取るためのＮ×クロック領域１５３５とを含む非同期ＦＩＦＯバッファ１５０５を含む。更に、送信機１５００は、データをシリアルフォーマットの８ビットチャンネルという単一のチャンネル内に再編成するためのｄｅ＿ｓｅｐ構成要素１５１５及びｒｇｂ＿ｍｕｘ構成要素１５２０を含む２４ビットから８ビットへの区画１５１０を含む。一部の実施形態では、ｄｅ＿ｓｅｐ構成要素１５１５は、着信データストリームが、ビデオデータ期間、データアイランド期間、又は制御期間のうちのいずれにあるかを判断する。一部の実施形態では、ｒｇｂ＿ｍｕｘ構成要素１５２０は、上記に提供した期間に適する多重化方式を適用する。一部の実施形態では、送信機１５００は、図９に提供したビデオデータ、図１０に提供した制御データ、及び図１１に提供したデータアイランドデータを含むある一定のデータの低減クロック速度の多重化を可能にする。更に、送信機は、ＤＶＩ符号化器１５２５で例示するように１０ビット出力（ｑ［９：０］）を生成するＴＭＤＳ符号化を可能にする。
【００６４】
図１６は、多チャンネルデータ送信を処理するための受信機の実施形態を示している。一部の実施形態では、ＭＨＬ受信機１６００は、ＭＨＬ送信（ｔｍｄｓ＿１０ｂ［９：０］）をクロッキングｃｌｋ＿１×、Ｎ×と、信号ｇｒｓｔ＿ｎ、ｒｓｔ＿ｎと、モード信号ｒｉ＿ｍｏｄｅ＿１０８０ｐ及びｒｉ＿ｍｏｄｅ＿１０８０ｐ＿ｄｅｔ＿ｅｎと共に受信する。受信機１６００は、出力ｍｈｌ＿ｄｅと、制御信号ｍｈｌ＿ｃｔｌ［３：０］と、垂直同期ｍｈｌ＿ｖｓと、水平同期ｍｈｌ＿ｈｓと、ＭＨＬデータｍｈｌ＿ｄ［２３：０］とをモード信号ｍｏｄｅ＿１０８０ｐと共に含む。
【００６５】
一部の実施形態では、受信機１６００は、受信した１０ビットデータチャンネルを８ビットフォーマットに変換するための構成要素（ｄｖｉ＿ｅｎｃ１６０５）、及び複数のチャンネルへの変換に向けてデータを２４ビット形態に編成する８ビットから２４ビットへの編成構成要素１６１５を含む。一部の実施形態では、受信機１６００は、データをＦＩＦＯに書き込むためのＮ×（３×又は２×のような）クロック領域１６３０と、データを基本周波数で読み取るための１×クロック領域１６３５とを有する非同期ＦＩＦＯバッファ１６２０を含む。一部の実施形態では、受信機１６００は、図１２に提供したビデオデータ、図１３に提供した制御データ、及び図１４に提供したデータアイランドデータを含むある一定のデータの低減クロック速度の逆多重化を可能にする。更に、受信機は、変換済みＨＤＭＩデータの送信用ＨＤＭＩインタフェース１６２５を含む。
【００６６】
一部の実施形態では、データに対するプリアンブルは、表１に提供しているようなものとすることができる。
【００６７】
【表１】
2013517696.tif 000003
【００６８】
この実施形態では、１０８０ｐモードを指定するために、ＣＴＬ［３：２］は、ＣＴＬ［３：２］＝「０１」の代わりに「１１」であるように設定することができる。従って、１０８０ｐモードでは、ＭＨＬ−ＴＸ１５００は、ＣＴＬ［３：２］＝０１を１１で置換する。一部の実施形態では、ＭＨＬ−ＲＸ１６００は、１０８０ｐモードを識別するか又はＣＴＬ［３：２］＝１１を用いて１０８０ｐモードを自動的に検出するのに外部入力を使用することができる。その後にＭＨＬ−ＲＸ１６００は、ＣＴＬ［３：２］＝１１をＣＴＬ［３：２］＝０１で置換する。一部の実施形態では、１０８０ｐが外部から識別される場合には、送信機は、ＤＤＣ（表示データチャンネル）又はＣＢＵＳ（制御バス）のような別々のチャンネルを用いて１０８０ｐモードが使用中であることを受信機に通知する。
【００６９】
図１７は、多チャンネルデータの送信のためのシステムの実施形態を示している。この実施形態では、ＨＤＭＩデータ１７１５は、送信機ＭＨＬ−ＴＸ１７０５に供給され、送信機ＭＨＬ−ＴＸ１７０５は、更に、制御信号ｃｌｋ１×及びｃｌｋＮ×、並びにモード信号ｍ１０８０ｐを受信する。送信機１７０５は、変換済みＭＨＬデータ１７２０を受信機ＭＨＬ−ＲＸ１７１０に送信し、受信機ＭＨＬ−ＲＸ１７１０は、更に、クロック信号ｃｌｋ１×及びｃｌｋＮ×、並びに信号ｒｉ＿ｍｏｄｅ＿１０８０ｐ及びｒｉ＿ｍｏｄｅ＿１０８０ｐ＿ｄｅｔ＿ｅｎを受信する。受信機１７１０は、ＭＨＬデータを変換し、ＨＤＭＩデータ１７２５及びモード信号ｍｏｄｅ＿１０８０ｐを供給する。
【００７０】
以上の説明では、本発明の完全な理解をもたらすために説明目的で多くの特定の詳細内容を開示した。しかし、当業者には、これらの特定の詳細内容のうちの一部を用いずに本発明を実施することができることは明らかであろう。この他の点として、公知の構造及びデバイスをブロック図形態に示している。例示する構成要素の間には中間構造を存在させることができる。本明細書に説明又は例示する構成要素は、例示又は説明していない更に別の入力又は出力を有することができる。例示する要素又は構成要素は、いずれかのフィールドの順序変更又はフィールドサイズの修正を含み、異なる配列又は順序で配置することができる。
【００７１】
本発明は、様々な処理を含むことができる。本発明の処理は、ハードウエア構成要素によって実施することができ、又は機械可読命令に具現化することができ、これは、これらの命令を用いてプログラムされる汎用又は専用プロセッサ又は論理回路にこれらの処理を実施させるように使用することができる。代替的に、処理は、ハードウエアとソフトウエアの組合せによって実施することができる。
【００７２】
本発明の各部分は、本発明による処理を実施するようにコンピュータ（又は他の電子デバイス）をプログラムするのに使用することができてプロセッサによって実行されるコンピュータプログラム命令が格納されたコンピュータ可読媒体を含むことができるコンピュータプログラム製品として提供することができる。コンピュータ可読媒体は、フロッピー（登録商標）ディスケット、光ディスク、ＣＤ−ＲＯＭ（コンパクトディスク読取専用メモリ）、及び光磁気ディスク、ＲＯＭ（読取専用メモリ）、ＲＡＭ（ランダムアクセスメモリ）、ＥＰＲＯＭ（消去可能プログラム可能読取専用メモリ）、ＥＥＰＲＯＭ（電気的に消去可能なプログラム可能読取専用メモリ）、磁気又は光カード、フラッシュメモリ、又は電子命令を格納するのに適する他の種類の有形媒体／コンピュータ可読媒体を含むことができるが、これらに限定されない。更に、本発明は、遠隔地のコンピュータから要求を行うコンピュータにプログラムを転送することができるコンピュータプログラム製品としてダウンロードすることができる。
【００７３】
本方法のうちの多くのものをその最も基本的な形態で説明したが、本発明の基本的な範囲から逸脱することなく、これらの方法のうちのいずれかに処理を追加するか又はいずれかから処理を削除することができ、説明した教示のうちのいずれかに情報を追加するか又はいずれかから情報を低減することができる。多くの更に別の修正及び調整を加えることができることは当業者には明らかであろう。上述の特定的な実施形態は、本発明の限定するのではなく、例示するために提供したものである。
【００７４】
要素「Ａ」が要素「Ｂ」に結合されるか又は要素「Ｂ」に結合すると示した場合には、要素Ａを要素Ｂに直接的に結合するか又は例えば要素Ｃを通じて間接的に結合することができる。本明細書又は特許請求の範囲において、構成要素、特徴、構造、処理、又は特性Ａが、構成要素、特徴、構造、処理、又は特性Ｂを「引き起こす」と説明した場合には、これは、「Ａ」は「Ｂ」の少なくとも部分的な原因であるが、「Ｂ」を引き起こすことに寄与する少なくとも１つの他の構成要素、特徴、構造、処理、又は特性が存在する可能性もあることを意味する。本明細書において、構成要素、特徴、構造、処理、又は特性を含める「ことができる」、「場合があると考えられる」、又は「ことができると考えられる」と示した場合には、特定の構成要素、特徴、構造、処理、又は特性が含まれる必要はない。本明細書又は特許請求の範囲において、「ａ」又は「ａｎ」要素に言及した場合には、説明した要素のうちの１つしか存在しないことを意味するわけではない。
【００７５】
実施形態は、本発明の実施又は例である。本明細書における「実施形態」、「一実施形態」「一部の実施形態」、又は「他の実施形態」への参照は、これらの実施形態と関連して説明する特定の特徴、構造、又は特性が、少なくとも一部の実施形態内に含まれるが、必ずしも全ての実施形態内に含まれるわけではないことを意味する。「実施形態」、「一実施形態」、又は「一部の実施形態」の様々な登場は、必ずしも全てが同じ実施形態を参照しているわけではない。本発明の例示的な実施形態の以上の説明では、本発明の開示を効率化し、本発明の様々な態様のうちの１つ又はそれよりも多くの理解を助けるために、場合によって本発明の様々な特徴を単一の実施形態、図、又はその説明に一緒にまとめていることを認めるべきである。
【符号の説明】
【００７６】
４０２  コンテンツデータのタイプを検出する段階
４０４  第１のタイプのコンテンツデータ
４０６  基本周波数の第１の倍数（３×）で送信する段階
４１０  第２のタイプのコンテンツデータ
４１２  ビデオデータ期間
【図１】
2013517696.tif 000004
【図２】
2013517696.tif 000005
【図３】
2013517696.tif 000006
【図４】
2013517696.tif 000007
【図５】
2013517696.tif 000008
【図６】
2013517696.tif 000009
【図７】
2013517696.tif 000010
【図８】
2013517696.tif 000011
【図９】
2013517696.tif 000012
【図１０】
2013517696.tif 000013
【図１１】
2013517696.tif 000014
【図１２】
2013517696.tif 000015
【図１３】
2013517696.tif 000016
【図１４】
2013517696.tif 000017
【図１５】
2013517696.tif 000018
【図１６】
2013517696.tif 000019
【図１７】
2013517696.tif 000020
【国際調査報告】
2013517696.tif 000021
2013517696.tif 000022